(57)【要約】【課題】  プレーヤーの身体とゴルフパターとの最良の位置関係が確認でき、その際の最良のフォームを正確に再現しつつ練習を返し行うことによって、正確なパターさばきの習得が可能となるゴルフパターを提供する。【解決手段】  ゴルフパター１のヘッド２の上部２ａに、使用状態のプレーヤーＰの両目Ｅが別々に写せるサイズの円鏡４、５を、その２枚が同一平面になるような円鏡台板７を設けて、その円鏡台板７の上に反射面４ａ、５ａがそのプレーヤーＰの両目Ｅに向かう角度になるように固定する。【選択図】    図１
2006110029.tif 000002
【特許請求の範囲】
【請求項１】
ゴルフパターのヘッドの上部に、ゴルフボールの直径と略同径の２枚の円鏡を、ヘッドの打面のスイートスポットへの垂線と平行な直線上に中心が重なるように直列配置するとともに両反射面をプレーヤーの両目に向かう角度に装着して成るゴルフパター。
【請求項２】
両反射面に、ヘッドの打面のスイートスポットへの垂線と平行な直線と重なるように、方向直線を書き入れて成る請求項１に記載のゴルフパター。
【請求項３】
ヘッドの上部と両円鏡との間に、角度を一方向又は自由方向に調節可能とする角度調節手段を介在させて成る請求項１又は２に記載のゴルフパター。
【発明の詳細な説明】
【技術分野】
【０００１】
本発明は、ゴルフボールをカップに直接入れるための好ましい姿勢を練習するために使用し、また競技においては確実にカップに入れられるようにするゴルフパターに関する。
【背景技術】
【０００２】
ゴルフは横向き状態での振り姿勢で打つので、飛んでいく方向感覚を捉えることが大変に難しく、パターでカップにゴルフボールを直接入れようとしても思い通りにはならない場合が多い。
そこで、正確なパットを決めるためには、練習を繰り返し、正しい方向感覚を体で覚えるしかないのが実情である。
【０００３】
一方、これまで、単に正確なパットを決めるためのものとして、パターのヘッドの上面に鏡を設けてカップに向けて狙いができるようにした手法が各種提案されている（特許文献１及び特許文献２を参照）。
しかし、その手法では、ゴルフパターの打面の方向を狙い通りに合わせることは可能となるかもしれないが、プレーヤーの身体の位置とゴルフパターとの位置を決定するための手段がなく、いつまでたっても身体の姿勢が定まらず、そのパターで練習を繰り返しても一向に進歩がなかった。
【特許文献１】特開２００２−２１００５０号公報
【特許文献２】特開平９−６６１２７号公報
【発明の開示】
【発明が解決しようとする課題】
【０００４】
本発明は、上記実情に鑑み、パターの練習をする際に、プレーヤーの身体とゴルフパターとの最良の位置関係が確認でき、その際の最良のフォームを正確に再現しつつ練習を返し行うことによって、正確なパターさばきの習得が可能となる手段を提供するものである。
【課題を解決するための手段】
【０００５】
本発明は、ゴルフパターのヘッドの上部にゴルフボールの直径と略同径の２枚の円鏡を、ヘッドの打面のスイートスポットへの垂線と平行な直線上に中心が重なるように直列配置し、且つ各反射面をプレーヤーの両目に向かう角度に固定できるように構成する。
【０００６】
請求項２に記載の発明は、上記構成のゴルフパターの両円鏡の反射面上に、ヘッドの打面におけるスイートスポットへの垂線と平行な直線と重なる方向直線を書き入れたものである。
【０００７】
請求項３に記載の発明は、上記構成のゴルフパターのヘッドの上部と両円鏡との間に、角度を一方向又は自由方向に調節可能とする角度調節手段を介在させたものである。
【発明の効果】
【０００８】
従来のパターのヘッドに鏡をプレーヤーからカップが見える角度で固定した場合では、ゴルフパターを狙い方向に位置決めすることはできたが、そのときのプレーヤーの姿勢までを決めることはできなかった。これに対して本発明のゴルフパターは、２枚の円鏡にプレーヤー自身の両目が写し出されることで、ゴルフパターを狙い方向に位置決めした時におけるプレーヤーの最良のフォームを自ら正確に確認することが可能となる。
そして、その同じ姿勢が円鏡を覗き見ることで正確に再現されるので、その姿勢での練習を繰り返すことによって、確実に最良の打撃フォームの習得が可能になる。
【０００９】
さらに、円鏡の反射面に、ヘッドの打面のスイートスポットへの垂線と平行な直線と重なる方向直線を書き入れた形態の場合、その方向直線に対して、両目の中心を通る方向と、ゴルフボールの中心と、カップの方向とが直線上に一列になるようにすれば最良の打撃フォームの正確な位置決めとなるが、その一列状態が少しでも乱れるとその状態が一目瞭然に認識できるので、簡単にそれらが一直線上に並ぶように修正できてプレーヤーの姿勢を簡単に直すことができる。
【００１０】
また、最良のフォームがプレーヤー独自のフォームである場合であっても、円鏡の角度を調節できる形態を用いることで、自分に合わせた独自の最良のフォームが得られるようになる。
【発明を実施するための最良の形態】
【００１１】
本発明のゴルフパターを実施するための形態について以下詳しく説明する。
本発明は、図１に示すように、ゴルフパター１のヘッド２の上部２ａに、使用状態のプレーヤーＰの両目Ｅが写せる大きさの２枚の円鏡４、５を、図２に示すように、その反射面４ａ、５ａがそのプレーヤーＰの目Ｅに向かう角度、即ち目から出た光線の反射線Ｈが目の方向に戻る角度となるように固定する。
前記円鏡４、５は、図４に示すように、ゴルフボールＢの直径と略同径の２枚の円鏡４、５を用いる。
また、前記円鏡４、５はヘッド２の上部２ａに、並べて直接固定しても又、図３及び図４に示すように、２枚が同一平面になるような基台９を設けてその平面上に円鏡４、５を並べて固定しても良い。
【００１２】
そして、ヘッド２の上部２ａに、そのゴルフボールＢの直径と略同径の２枚の円鏡４、５を、ヘッド２の打面３のスイートスポットＳへの垂線と平行な直線Ｘ上に中心が重なるように直列配置して、円鏡４、５の両反射面４ａ、５ａがプレーヤーＰの両目Ｅに向かう角度になるように固定する。
【００１３】
さらに、円鏡４、５に写った両目ｅ1、ｅ2の中心を通る方向（図５に示すＸ方向）をカップの方向に一致させやすくするために、図５に示すように、前記反射面４ａ、５ａに対して、ヘッド２の打面３のスイートスポットＳへの垂線と平行な直線Ｘと重なるように、方向直線６を書き入れることができる。こうすれば、その直線Ｘと両目ｅ1、ｅ2の中心を容易且つ確実に重ね合わせることが可能となる。
【００１４】
また、前記ヘッド２の上部２ａと円鏡４、５との間に、図８及び図９に示すように、角度を一方向又は自由方向に調節可能とする角度調節手段８を介在させることも可能である。
この角度調節手段８は各種機構が可能であるが、その角度調節手段８についての一例を次に示す。
【００１５】
まず、前記角度調節手段８のうち一方向のみ調節できるようにする構造は、図８に示すように、ヘッド２の上部２ａに基台９を設け、その基台９上の一方側の上部に枢支部１０を設けた枢支台１７を固着し、前記基台９上に配した円鏡台板７上に２枚の円鏡４、５を貼り付けて、その円鏡台板７上の一側部を枢支する。そして、その円鏡台板７の下面に斜面１６を形成する。
また、その枢支部１０とは反対側に軸受雌ネジ１２を備えたネジ軸受部１１を立設し、その軸受雌ネジ１２に前記円鏡台板７下の斜面１６に接する楔１５を先端に回転可能に装着した調節ネジ１３を螺着する。
そして、前記前記基台９と円鏡台板７との間に引きバネ１４を装着する。
この構造では、調節ネジ１３を推進させたり後退させたりすることで、楔１５が前記円鏡台板７下の斜面１６下を往復して、引きバネ１４の力に抗して枢支部１０を支点に円鏡台板７の傾斜角度を、例えば図８の（イ）では鏡を水平に、（ロ）では鏡を傾斜（ａ）に、（ハ）では鏡をそれとは逆傾斜（ｂ）に変化させ調節することが可能となる。
【００１６】
また、前記角度調節手段８のうち自由方向に円鏡の向きを調節する構造は、例えば、図９に示すように、ヘッド２の上部２ａに基台９を設け、その基台９上の中央部に継ぎ手受２１を設け、その継ぎ手受２１に、前記基台９上に配した円鏡台板７上に２枚の円鏡４、５を貼り付けて、その円鏡台板７上の中央部に球状の自由継ぎ手２０を嵌合する。
そして、一側部に軸受雌ネジ１８を備えたネジ軸受部２２を立設し、その軸受雌ネジ１８に、先端部が前記継ぎ手受２１を貫通して前記自由継ぎ手２０に突き当たるように固定ネジ１９を螺着する。
この構造では、固定ネジ１９を後退させて緩めることで、前記自由継ぎ手２０が自由に傾斜させ、例えば図９の（イ）では鏡を水平に、（ロ）では鏡を傾斜（ａ）に、（ハ）では鏡をそれとは逆傾斜（ｂ）に調節した状態にして、適度の角度に決まったら固定ネジ１９を前進させて強く締めれば円鏡台板７の傾斜角度をそのまま固定することが可能となる。
【００１７】
本発明は以上のようであり、これを使用した場合について以下詳しく説明する。
通常、パターを打つ際の最良のフォームは、図１に示すように、プレーヤーＰの顔がパター１のヘッド２の真上になるのが好ましいとされている。
本発明では、そのような最良のフォームでプレーヤーＰがパター１のヘッド２を見ると、本人にはそのヘッド２上部２ａの円鏡４、５に自己の両目ｅ1、ｅ2えが、図５に示すように、反射されて見える。
このとき、ヘッド２の打面３のスイートスポットＳへの垂線と同方向（図のＸ方向）に両目ｅ1、ｅ2を通る方向を合わせ、両目ｅ1、ｅ2を通る方向をカップの方向に一致させれば、ヘッド２の打面３はボールＢを打ちたい方向に対して垂直状態になるので、水平なコースにカップがあれば、その姿勢のままショットすれば確実にカップに入ることになる。
なお、スイートスポットＳからボールＢの打撃位置が外れると、打ったボールＢの進行軌跡が曲がったり、転がり距離が狂うことがあるので、ボールＢをスイートスポットＳに当てるようにする。
【００１８】
また、ヘッド上部２ａに２枚の円鏡４、５を、ヘッドの打面３のスイートスポットＳへの垂線と平行な直線上に中心が重なるように直列配置した形態では、図５に示すように、自己の両目ｅ1、ｅ2が２枚の円鏡４、５に別々に反射されて見える。
この場合、２枚の円鏡４、５の中心が打面３に対して垂直方向なので、両目ｅ1、ｅ2の中心を通る方向（図５に示すＸ方向）をカップの方向に一致さてその方向の直線上にボールＢを置き、その姿勢のままショットすれば確実にボールＢをカップに入ることになる。
しかし、両目ｅ1、ｅ2を通る方向（図６に示すＸ方向）とカップの方向（図６に示すＹ方向）とが合っていない場合には、そのズレ状態が図６に示すように示すＸ方向とＹ方向に角度の開きが生じて一目瞭然に認識できるので、容易に正確な修正をおこなうことができる。
そして両目を通る方向（図６に示すＸ方向）とカップの方向とが図５に示すように一致するようにパターの方向あわせ、同時に両目の中央に２枚の円鏡４、５の境（接点）が写るようにしてプレーヤーＰの姿勢の正確な位置調節が行える。
【００１９】
また、ボールＢの位置が両目ｅ1、ｅ2を通る方向（図６のＸ方向）とずれている時（ボールが図６の破線の円で示す位置にある時）には、２枚の円鏡４、５が目安となって、図６のＸ方向上にボールＢを正確に置くことができる。そして、その姿勢のままショットすれば確実にボールＢをカップに入ることになる。
そして、そのような両目ｅ1、ｅ2の合わせ方は、合っていない場合には、図７に示すように、方向がずれて２枚の円鏡４、５に写し出されるので、図５に示す正しい状態になるように、簡単に修正して合わせることによって、プレーヤーＰの正しい姿勢に調節することが可能となる。
【００２０】
また、前記反射面４ａ、５ａに対して、ヘッド２の打面３のスイートスポットＳへの垂線と平行な直線と重なるように、方向直線６を書き入れた形態では、その方向直線６に両目ｅ1、ｅ2を通る方向と、ゴルフボールＢの中心と、カップの方向とを直線上に一列になるようにすれば良い。
この際、それらにいずれかがずれている場合には、そのズレ状態が一目瞭然に認識できるので、簡単にそれらが一直線上に並ぶように修正することができる。
【００２１】
最良のフォームがプレーヤーＰにとって独自のフォームである場合には、一方向の調節ができる構造（図８）及び自由方向の調節ができる構造（図９）のように、自分に合わせて最良のフォームが得られる角度に調節することができる。
これで身体の位置とゴルフパターとの最良の位置が決まり、その姿勢がそのプレーヤーの最良のフォームとなる。
【産業上の利用可能性】
【００２２】
本発明は、姿勢練習用のゴルフパターであるが、実際のプレーの時でもボールを正確にショットするために使用することができる。
【図面の簡単な説明】
【００２３】
【図１】使用状態を示す斜視図。
【図２】ヘッドの打面から見た正面図。
【図３】ヘッドの側面図。
【図４】ヘッドの平面図。
【図５】顔が正しく鏡に映った状態を示すヘッドの平面図。
【図６】顔が正しく鏡に映り、打面の方向がずれた状態を示すヘッドの平面図。
【図７】顔がずれて鏡に映った状態を示すヘッドの平面図。
【図８】角度調節手段を有する形態のヘッドの（イ）が鏡を水平に、（ロ）が鏡を傾斜に、（ハ）が鏡をそれとは逆傾斜に調節した状態を示す各縦断側面図。
【図９】別の角度調節手段を有する形態のヘッドの（イ）が鏡を水平に、（ロ）が鏡を傾斜に、（ハ）が鏡をそれとは逆傾斜に調節した状態を示す各縦断側面図。
【符号の説明】
【００２４】
１    ゴルフパター
２    ヘッド
２ａ  ヘッドの上部
３    ヘッドの打面
４    円鏡
４ａ  反射面
５    円鏡
５ａ  反射面
６    方向線
７    円鏡台板
８    角度調節手段
９    基台
１０    枢支部
１１    ネジ軸受部
１２    軸受雌ネジ
１３    調節ネジ
１４    バネ
１５    楔
１６    斜面
１７    枢支台
１８    軸受雌ネジ
１９    固定ネジ
２０    自由継ぎ手
２１    継ぎ手受
２２    ネジ軸受部
Ｓ    スイートスポット
Ｘ    スイートスポットへの垂線と平行な直線
Ｙ    カップ方向の線
Ｂ    ゴルフボール
Ｅ    プレーヤーの目
ｅ1    鏡に映った目
ｅ2    鏡に映った目
Ｈ    反射線
Ｐ    プレーヤー
【図１】
2006110029.tif 000003
【図２】
2006110029.tif 000004
【図３】
2006110029.tif 000005
【図４】
2006110029.tif 000006
【図５】
2006110029.tif 000007
【図６】
2006110029.tif 000008
【図７】
2006110029.tif 000009
【図８】
2006110029.tif 000010
【図９】
2006110029.tif 000011